(57)【要約】【課題】  消費電力が少なく、製造費および敷設費、ならびに維持経費を削減した街路灯装置を得る。【解決手段】  太陽光電池、二次電池およびその充電制御回路からなる照明用の電源部と、明暗度検出回路部と、複数個の発光ダイオード素子を平面状に実装して所要発光面積相当分の発光面を形成した照明用の発光ダイオードパネル部と、電源部の二次電池と発光ダイオードパネル部間に接続された定電流スイッチング電源回路部と、明暗度検出回路部の検出出力対応に前記充電制御回路および定電流スイッチング電源回路部をそれぞれに動作制御する制御回路部とを備えて構成する。電源照明対象戸外の明暗度が所定の明度以上の状態であるときに、太陽光電池からの直流電流を二次電池に充電させ得るようにし、照明対象戸外の明暗度が所定の暗度以下の状態であるときに、二次電池から発光ダイオードパネル部に照明用電流を給電して発光放射させ得るようにする。【選択図】        図２
2005353341.tif 000002
【特許請求の範囲】
【請求項１】
太陽光電池、該太陽光電池によって生成される直流電流を充電する二次電池およびその充電制御回路からなる照明用の電源部と、照明対象戸外の明暗度を自動的に検出して出力する明暗度検出回路部と、複数個の発光ダイオード素子を平面状に実装して所要発光面積相当分の発光面を形成した照明用の発光ダイオードパネル部と、前記電源部の二次電池と前記発行ダイオードパネル部間に接続された定電流スイッチング電源回路部と、前記明暗度検出回路部の検出出力対応に前記充電制御回路および前記定電流スイッチング電源回路をそれぞれに動作制御する制御回路部とを備え、
前記充電制御回路および定電流スイッチング電源回路部を動作制御する制御回路部は、前記明暗度検出回路部によって検出される照明対象戸外の明暗度が所定の明度以上の状態であるときに、前記充電制御回路を明度確認作動させて前記太陽光電池からの直流電流を二次電池に充電させ得るようにし、また、前記照明対象戸外の明暗度が所定の暗度以下の状態であるときに、前記定電流スイッチング電源回路部を暗度確認作動させて、前記二次電池から発光ダイオードパネル部に照明用電流を給電して発光放射させ得るようにしたことを特徴とする太陽光電池利用の自動点灯・消灯型街路灯装置。
【請求項２】
前記照明用の電源部が、前記太陽光電池によって生成される直流電流を一旦充電するコンデンサを配した充電制御回路を有し、前記明暗度検出回路部によって検出される照明対象戸外の明暗度が所定の明度以上の状態であるときに、該充電制御回路のコンデンサを制御して前記二次電池を充電するように構成されていることを特徴とする請求項１に記載の太陽光電池利用の自動点灯・消灯型街路灯装置。
【請求項３】
前記明暗度検出回路部が、前記照明対象戸外の明暗度を個別に自動検出して各明暗度検出信号をそれぞれに出力する個々独立した少なくとも３個以上の各光検出素子と、該各光検出素子からそれぞれに出力される各明暗度検出信号を統括的に比較判断して、該複数の各明暗度検出信号のうちで、所定の明度以上の状態を示す検出信号数の方が多い場合、これに対応する所要の明度確認信号を回路部自体の明暗度検出信号として出力し、かつ所定の暗度以下の状態を示す検出信号数の方が多い場合、これに対応する所要の暗度確認信号を回路部自体の明暗度検出信号として出力する明暗度多数決判定回路とで構成されていることを特徴とする請求項１または２に記載の太陽光電池利用の自動点灯・消灯型街路灯装置。
【請求項４】
前記定電流スイッチング電源回路部が、前記二次電池から各発光ダイオード素子への照明電流を変換するための定電流変換制御回路を有することを特徴とする請求項１ないし３の何れか１項に記載の太陽光電池利用の自動点灯・消灯型街路灯装置。
【請求項５】
前記発光ダイオードパネル部が、照明光を広範囲に拡散放射させるべく、前記複数個の発光ダイオード素子と複数個の紫外発光ダイオード素子とを直列接続させて１単位の発光ブロックとし、かつ該発光ブロックの複数単位を並列接続させると共に、該複数単位の発光ブロック列に対向するように蛍光体素子列を配して構成されていることを特徴とする請求項１ないし４の何れか１項に記載の太陽光電池利用の自動点灯・消灯型街路灯装置。
【発明の詳細な説明】
【技術分野】
【０００１】
本発明は、街路に沿い所要間隔毎に照明用街路灯を複数本立設して配置させ、該当する戸外周辺部の夜間照明に用いる太陽光電池利用の自動点灯・消灯型街路灯装置に関し、さらに詳しくは、これらの各照明用街路灯の光源点灯用電源として太陽光電池を利用すると共に、該各照明用街路灯を戸外周辺部の明暗度に対応して自動的に点灯制御可能にした太陽光電池利用の自動点灯・消灯型による街路灯装置の改良に係るものである。
【背景技術】
【０００２】
従来から、この種の一般的な街路灯装置は、照明用光源として白熱球、蛍光灯、水銀灯の何れか、もしくは複数配列の各発光ダイオード素子を使用し、該各照明用光源を対応する交流１００ボルトの商用電源、または太陽電池と二次電池を組み合わせた直流電源からの給電によって発光照射させ、かつこれらの点灯制御のためには、該当戸外周辺部の明暗度合いを検出する自動点滅器を用いて行なうようにしている。
【発明の開示】
【発明が解決しようとする課題】
【０００３】
しかしながら、これらの従来の各街路灯装置においては、次のような好ましくない各課題、ひいては各問題点があり、これらの各問題点をそれぞれに改善する必要があった。
【０００４】
すなわち、前記照明用街路灯の光源に前者の白熱球、蛍光灯、水銀灯を使用する場合には、先ず、第１の問題点として、それぞれの点灯用電源に交流１００ボルトを利用していることから、街路灯装置全体の敷設に際しては、該電源部から個々に立設される各街路灯までの送電線経路が必須であり、該送電線の敷設工事などのために各街路灯１基当りの設置価格が高価になるほか、その維持管理にも相応の経費が継続して必要になる。
【０００５】
また、第２の問題点として、これらの白熱球、蛍光灯、水銀灯による発光照明には、総じてそれぞれの消費電力が比較的大きいために経費がかかるという不利を伴うばかりか、第３の問題点として、該各照明光源の球切れ交換などにも常時対処しなければならないので、その維持運営費も嵩むことになるのを避けられない。
【０００６】
一方、前記照明用街路灯の光源に後者の各発光ダイオード素子を使用し、その電源に太陽光電池と二次電池を組み合わせて利用する場合には、前記前者の各問題点に続く第４の問題点として、現在のところ、その電力変換の技術が定常的に定電流制御であるので、該太陽光電池で生成される直流電流を蓄電する二次電池と、照明光源である各発光ダイオード素子との間の電力変換効率が極めて悪く、しかも、付帯させる太陽光電池に関しては、日照条件を勘案して所要光源電力の１０倍にも達する大容量のものを使用しなければならず、結果的に初期設置経費が徒らに高騰し勝ちである。
【０００７】
また、第５の問題点としては、前記各照明用街路灯毎に該当戸外周辺部の明暗度合いを検出する自動点滅器を搭載させることにより、この自動点滅器によって照明灯の点灯制御を行なわせるようにしているが、その点滅方式が電子式あるいは機械式の如何に拘らず、何れも接点寿命等に限界があるため、これが故障もしくは破損したときの修理や交換に相応の管理経費を必要としている。
【０００８】
さらに、第６の問題点として、照明光源である発光ダイオード素子にあっては、その発光特性の点で照明作用を効果的に得るのに好ましくない指向性が存在しているので、これを改善して良好な光拡散照明をなすべく、該発光ダイオード素子の使用個数を一面毎に増加させており、このことでも初期設置経費が高価になる。
【０００９】
これらに加えて、従来の街路灯装置では、照明光源自体の光拡散性が悪くて各街路灯１基毎の光照射範囲が限定されるため、各街路灯相互間の立設間隔も比較的狭くならざるを得ず、対象街路における所要照明区間当りの街路灯の立設本数が徒らに増加するという不都合もある。
【００１０】
従って、本発明の目的とするところは、上記従来の実情に鑑み、これらの全ての問題点をそれぞれに改善して対象街路面の照明を良好かつ効果的になし得るようにした、この種の太陽光電池利用の自動点灯・消灯型街路灯装置を提供することである。
【課題を解決するための手段】
【００１１】
本発明の請求項１に記載の太陽光電池利用の自動点灯・消灯型街路灯装置は、
太陽光電池、該太陽光電池によって生成される直流電流を充電する二次電池およびその充電制御回路からなる照明用の電源部と、照明対象戸外の明暗度を自動的に検出して出力する明暗度検出回路部と、複数個の発光ダイオード素子を平面状に実装して所要発光面積相当分の発光面を形成した照明用の発光ダイオードパネル部と、前記電源部の二次電池と前記発光ダイオードパネル部間に接続された定電流スイッチング電源回路部と、前記明暗度検出回路部の検出出力対応に前記充電制御回路および前記定電流スイッチング電源回路部をそれぞれに動作制御する制御回路部とを備え、
前記充電制御回路および定電流スイッチング電源回路部を動作制御する制御回路部は、前記明暗度検出回路部によって検出される照明対象戸外の明暗度が所定の明度以上の状態であるときに、前記充電制御回路を明度確認作動させて前記太陽光電池からの直流電流を二次電池に充電させ得るようにし、また、前記照明対象戸外の明暗度が所定の暗度以下の状態であるときに、前記定電流スイッチング回路部を暗度確認作動させて、前記二次電池から発光ダイオードパネル部に照明用電流を給電して発光放射させ得るようにしたことを特徴としている。
【００１２】
本発明の請求項２に記載の発明は、前記請求項１に記載の太陽光電池利用の自動点灯・消灯型街路灯装置において、
前記照明用の電源部が、前記太陽光電池によって生成される直流電流を一旦充電するコンデンサを配した充電制御回路を有し、前記明暗度検出回路部によって検出される照明対象戸外の明暗度が所定の明度以上の状態であるときに、該充電制御回路のコンデンサを制御して前記二次電池を充電するように構成されていることを特徴としている。
【００１３】
本発明の請求項３に記載の発明は、前記請求項１または２に記載の太陽光電池利用の自動点灯・消灯型街路灯装置において、
前記明暗度検出回路部が、前記照明対象戸外の明暗度を個別に自動検出して各明暗度検出信号をそれぞれに出力する個々独立した少なくとも３個以上の各光検出素子と、該各光検出素子からそれぞれに出力される各明暗度検出信号を統括的に比較判断して、該各明暗度検出信号のうちで、所定の明度以上の状態を示す検出信号数の方が多い場合、これに対応する所要の明度確認信号を回路部自体の明暗度検出信号として出力し、かつ所定の暗度以下の状態を示す検出信号数の方が多い場合、これに対応する所要の暗度確認信号を回路部自体の明暗度検出信号として出力する明暗度多数決判定回路とで構成されていることを特徴としている。
【００１４】
本発明の請求項４に記載の発明は、前記請求項１ないし３の何れか１項に記載の太陽光電池利用の自動点灯・消灯型街路灯装置において、
前記定電流スイッチング電源回路部が、前記二次電池から各発光ダイオード素子への照明電流を変換するための定電流変換制御回路を有することを特徴としている。
【００１５】
本発明の請求項５に記載の発明は、前記請求項１ないし４の何れか１項に記載の太陽光電池利用の自動点灯・消灯型街路灯装置において、
前記発光ダイオードパネル部が、照明光を広範囲に拡散放射させるべく、前記複数個の発光ダイオード素子と複数個の紫外発光ダイオード素子とを直列接続させて１単位の発光ブロックとし、かつ該発光ブロックの複数単位を並列接続させると共に、該複数単位の発光ブロック列に対向するように蛍光体素子列を配して構成されていることを特徴としている。
【発明の効果】
【００１６】
本発明の請求項１に記載の街路灯装置によれば、照明用光源として複数の発光ダイオード素子を、発光電源に太陽光電池、充電回路および二次電池の組合せを一体化して用い、また、照明対象戸外の明暗度を自動検出する明暗度検出回路部を設けて、二次電池への充電制御と各発光ダイオード素子の点灯制御とをなし得るようにしているので、良好かつ効果的な照明を行なうことができる。そして、この場合、光源である各発光ダイオード素子は、消費電力も少なくてよく、かつ白熱球等とは異なって球切れせずに長期間に亘る使用が可能になると共に、その送電線経路についても装置内だけで済むため、外部からの敷設等を全く必要としないなどの利点がある。
【００１７】
本発明の請求項２に記載の街路灯装置によれば、太陽光電池によって生成される直流電流を一旦充電するコンデンサを配した充電回路を設け、明暗度検出回路部によって検出される照明対象戸外の明暗度が所定の明度以上の状態であるときに、該充電制御回路のコンデンサを制御して二次電池を充電するようにしているので、日照時間を有効に活用した発電作用が得られる。
【００１８】
本発明の請求項３に記載の街路灯装置によれば、照明対象戸外の明暗度を個別に自動検出して各明暗度検出信号を出力する個々独立した少なくとも３個以上の各光検出素子と、各光検出素子からの各明暗度検出信号を比較判断する明暗度多数決判定回路とを有していることから、該照明対象戸外の明暗度を常に正確に検出できるもので、例えば、各光検出素子の何れか一つが、木陰になるとか落ち葉や鳥類の糞で覆われたりして常に偶発的な暗度確認信号を出力し続けたとしても、他の残りの検出素子からの出力信号で実稼働に支障をきたす惧れがなく、この結果、電子式や機械式の接点よりも優れており、かつ使用寿命も長くなる。
【００１９】
本発明の請求項４に記載の街路灯装置によれば、二次電池から各発光ダイオード素子に供給する照明電流を定電流スイッチング電源回路部によって変換するようにしており、これによって定電流変換制御ができるもので、このために従来の発光ダイオード素子の定電流回路部に比較するとき、約１．６倍のエネルギー変換効率となるもので、例えば、夜間に時間制限無しで点灯できることや、太陽光電池の受光面積、ひいては発電対応面積を従来の６０％程度まで小型化することが可能になる。
【００２０】
本発明の請求項５に記載の街路灯装置によれば、複数の発光ダイオード素子と複数の紫外発光ダイオード素子とを直列接続させることで１単位の発光ブロックとし、かつ該発光ブロックの複数単位を並列接続させた上で、この複数単位の発光ブロック列に蛍光体素子列を対向させて発光ダイオードパネル部を構成したので、紫外発光ダイオード素子と蛍光体素子とで可視光を比較的広範囲に拡散できることになり、これによって発光ダイオード素子の欠点でもある光指向性を改善して遠方からの視認を可能にし、合わせて発光ダイオード素子の使用数量を最適化し得るのである。
【発明を実施するための最良の形態】
【００２１】
以下、本発明に係る太陽電池利用の自動点灯・消灯型街路灯装置の実施例につき、図１ないし図４を参照して詳細に説明する。
【実施例】
【００２２】
図１は本実施例を適用した太陽光電池利用の自動点灯・消灯型街路灯装置（以下、単に「街路灯装置」ともいう）の全体構成を略図的に示す縦断面概念図であり、図２は同上実施例の街路灯装置における点灯・消灯回路部構成の概要を示す回路ブロック図である。
【００２３】
本実施例による街路灯装置は、図１に示す如く、照明対象街路１００の側縁部等に沿わせて所要間隔毎に設けられる照明用街路灯本体（以下、「街路灯本体」という）Ａを有しており、この街路灯本体Ａは、照明対象部である街路面１０１の路肩部等に下端部を埋め込んで立設される中空円柱状の支持筒体１１と、該支持筒体１１の上部を所要角度に屈曲して前記街路面１０１の上方に張り出させ得る中空偏平筒状の光源部保持腕１２とからなっている。
【００２４】
ここで、前記支持筒体１１は、通常の場合と同様に、適宜に防屈処置（図示省略）等を施した所要長さの鋼管ポール等であればよく、その下端部側には、定位置に埋め込まれた後に徒らな旋回や揺動等の不能な対策が講じられており、上端部側には、所要角度に屈曲させた結合環部１３を突出して形成させ、かつ該屈曲部分に近接した空間内にあって続いて述べるところの、比較的重量のある照明電源部２０の二次電池２３を収納して保持させる。
【００２５】
また、前記光源部保持腕１２は、図２をも参照して、基端部側に前記結合環部１３に嵌着して一体化される突設環１４を形成させ、かつ先端部側には、同様に続いて述べるところの、点灯・消灯回路部Ｂ、この場合は点灯制御回路部４０等を内封させるだけの内部空間を設けると共に、その前方上面側に照明電源部２０を配置させるための比較的広範囲に亘る上面開口１５を開穿させ、かつ前方下面側に照明光源部５０を配置させるための下面開口１６を開穿させてある。
【００２６】
一方、前記街路灯装置における点灯・消灯回路部Ｂは、図１および図２に示す如く、前記街路灯本体Ａにおける光源部保持腕１２の先端部上面側に配置されて、その上面部を前記上面開口１５から外部露出させることにより、太陽光を良好に受光して効果的な発電作用を得べく固着させる照明電源部２０と、同光源部保持腕１２に内包して保持させる点灯制御回路部３０、および照明対象戸外の明暗度を常時的確に検出する明暗度検出回路部４０と、同光源部保持腕１２の先端部下面側で下面開口１６部分に固着させて、前記街路面１０１に対向させることで所要の照明作用を得られるようにする照明光源部５０とのそれぞれによって構成される。
【００２７】
而して、前記光源部保持腕１２の上面開口１５部分に配置して固着させる照明電源部２０については、単結晶シリコン型もしくは薄膜シリコン型の発電素子を連接してなる前記太陽光電池２１と充電制御回路２２と二次電池２３とを直列接続させて構成し、別に該二次電池２３と続いて述べる発光ダイオードパネル部５０との間に定電流スイッチング電源回路２４が介装されている。そして、該太陽光電池２１の露出させた受光パネル面２１ａ側の適所にあっては、前記明暗度検出回路部４０の各光検出素子４１ａ，４１ｂ，４１ｃが適切な分散状態で配置させてあり、かつ前記充電制御回路２２には、前記太陽光電池２１によって生成される直流電流を一旦充電するコンデンサ２２ａを組み込んである。
【００２８】
また、前記光源部保持腕１２に内包して保持させる点灯制御回路部３０は、前記照明電源部２０における充・放電作用を制御するもので、本実施例の場合、前記明暗度検出回路部４０からの信号出力として、これが照明対象戸外の十分な明るさ（明度）を示すところの、太陽光発電に好適な昼間日照時であるときには、前記充電制御回路２２を作動させて前記太陽光電池２１からの直流電流をコンデンサ２２ａに一旦充電させた上で、前記二次電池２３への充電作用を継続維持して稼働させ、一方、照明対象戸外が照明を必要とする暗さ（暗度）であるときには、該充電作用を停止すると共に、前記定電流スイッチング電源回路２４を作動させることにより、前記二次電池２３に充電された電荷を高効率で電力変換して前記照明光源部５０に放電させる、つまり、照明電流を供給して点灯照射させるのである。
【００２９】
ここで、前記充電制御回路２２が二次電池２３への充電作用を停止するのは、前記点灯制御回路部３０からの明度信号がなくなったとき、ひいては前記明暗度検出回路部４０からの次に述べる明度確認信号４２−Ｈが暗度確認信号４２−Ｌに変わったとき、あるいは明度確認信号４２−Ｈが伝達されていても予め設定されている許容最大充電量もしくは許容最大充電温度に到達した場合である。
【００３０】
また、前記光源部保持腕１２に内包して保持させる明暗度検出回路部４０は、照明対象戸外の明暗度を自動的に検出して信号出力するためのものであって、前記した如くに、前記太陽光電池２１の受光パネル面２１ａに分散して配置される個々に独立した少なくとも３個以上の各光検出素子群、本実施例の場合、３個（勿論、４個以上であることを妨げない）からなる各光検出素子４１ａ，４１ｂ，４１ｃと、該各光検出素子４１ａ〜４１ｃからそれぞれに出力される各明暗度検出信号を統括的に比較判断する明暗度多数決判定回路４２とからなっている。
【００３１】
この場合、前記明暗度多数決判定回路４２は、前記各光検出素子４１ａ，４１ｂ，４１ｃによって検出される各明暗度検出信号のうちで、所定の明度以上の状態を示す明度検出信号数の方が暗度検出信号数よりも多いときに、回路部４２自体の明暗度検出信号として、これに対応する所要の明度確認信号４２−Ｈを判断して前記点灯制御回路部３０へ出力し、この態様とは反対に、所定の暗度以下の状態を示す暗度検出信号数の方が明度検出信号数よりも多いときには、回路部４２自体の明暗度検出信号として、これに対応する所要の暗度確認信号４２−Ｌを判断して前記点灯制御回路部３０へ出力する。
【００３２】
また、前記光源部保持腕１２の下面開口１６部分に配置して固着させる照明光源部５０としては、複数個の高輝度型発光ダイオード素子５１ａを面状に配列させ、これに合わせて複数個の紫外発光ダイオード素子５１ｂを点状に配列させた上で、これらを直列接続させて１単位の発光ブロック５１とし、かつ該発光ブロック５１の複数単位を並列接続させると共に、該複数単位の発光ブロック列に対向するように蛍光体素子列５２を配し、さらに、これらを光透過性外被５３で覆うことで構成されている。
【００３３】
すなわち、ここでは前記発光ダイオード素子５１ａの発光と共々に、前記点状配列の紫外発光ダイオード素子５１ｂによって前記蛍光体素子列５２も発光させており、この発光方式では、該発光ダイオード素子５１ａの欠点でもあった光指向性が格段に改善されて十分な明るさによる照明のための照度が得られるもので、発光ダイオード素子５１ａの使用数量が最適化され、ひいては全体量を低減できて従来とほぼ同一容積内への搭載が可能になると共に、このように十分な照度を有する故に、その結果として単位長さ当りの街路灯の立設本数の低減も容易に図り得るのである。
【産業上の利用可能性】
【００３４】
なお、本発明は上記実施例の形態にのみ限定されるものではなく、発明思想の範囲内で種々の変更態様を講ずることができる。
【図面の簡単な説明】
【００３５】
【図１】本発明の実施例を適用した太陽光電池利用の自動点灯・消灯型街路灯装置の全体構成を略図的に示す縦断面概念図である。
【図２】同上実施例の街路灯装置における点灯・消灯回路部構成の概要を示す回路ブロック図である。
【符号の説明】
【００３６】
Ａ            照明用街路灯本体
Ｂ            点灯・消灯回路部
１１          支持筒体
１２          光源部保持腕
１３          結合環部
１４          突設環
１５          上面開口
１６          下面開口
２０          照明電源部
２１          太陽光電池
２１ａ        受光パネル面
２２          充電制御回路
２２ａ        コンデンサ
２３          二次電池
２４          定電流スイッチング回路
３０          点灯制御回路部
４０          明暗度検出回路部
４１ａ〜ｃ    光検出素子
４２−Ｈ      明度確認信号
４２−Ｌ      暗度確認信号
５０          照明光源部
５１          発光ブロック
５１ａ        高輝度型発光ダイオード素子
５１ｂ        紫外発光ダイオード素子
５２          蛍光体素子列
５３          光透過性外被
１００        照明対象街路
１０１        街路面
【図１】
2005353341.tif 000003
【図２】
2005353341.tif 000004